【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】  ディスク移送時に該ディスクを支持するディスク支持部材と、該ディスク支持部材をディスク装置内部のターンテーブル配設位置に対応した第１位置とディスク装置外部のディスク着脱位置に対応した第２位置との間で往復動可能に駆動するディスク支持部材駆動装置とを備えたディスク移送装置であって、
上記ディスク支持部材は、ディスク片面を支持する第１ディスク支持部材と、該第１ディスク支持部材と別体に設けられ、上記ディスクの他面の一部を支持する第２ディスク支持部材と、
上記第１ディスク支持部材のみでディスクを支持して移送する第１移送状態と、上記第１及び第２の両ディスク支持部材でディスクを支持して移送する第２移送状態とに、ディスク移送状態を切り換える移送状態切換機構と、
を備えていることを特徴とするディスク移送装置。
【請求項２】 上記移送状態切換機構は、ディスクが水平状態および水平から所定角度範囲内の傾斜状態である場合には上記第１移送状態で移送され、上記ディスクの傾斜角度が上記所定角度を越える一定値以上である場合には上記第２移送状態で移送されるように、移送状態を切り換えることを特徴とする請求項１記載のディスク移送装置。
【請求項３】 上記ディスク支持部材駆動装置が上記第１ディスク支持部材に連結され、上記移送状態切換機構は上記第２ディスク支持部材に設けられており、上記第２移送状態においては、上記移送状態切換機構を介して上記ディスク支持部材駆動装置の駆動力の一部が上記第２ディスク支持部材に伝達されることを特徴とする請求項２記載のディスク移送装置。
【請求項４】 上記移送状態切換機構は、自重による垂下状態で上記第２ディスク支持部材に対し相対的に揺動自在に支持された切換レバーを備えていることを特徴とする請求項３記載のディスク移送装置。
【請求項５】 上記第１ディスク支持部材のみが駆動された場合に、上記切換レバーの揺動動作を阻止する第１ロック部材が設けられ、該第１ロック部材は、上記第１ディスク支持部材が上記第１位置にある場合には、上記切換レバーの揺動動作の阻止状態を解除することを特徴とする請求項４記載のディスク移送装置。
【請求項６】 上記第１及び第２のディスク支持部材が駆動された場合に、上記切換レバーの揺動動作を阻止する第２ロック部材が設けられ、該第２ロック部材は、上記第１及び第２ディスク支持部材が上記第１位置にある場合には、上記切換レバーの揺動動作の阻止状態を解除することを特徴とする請求項４又は請求項５に記載のディスク移送装置。
【請求項７】 上記第１及び第２の両ディスク支持部材で支持されたディスクを上記第１ディスク支持部材に対して付勢し得る付勢機構が設けられていることを特徴とする請求項１又は請求項２に記載のディスク移送装置。
【請求項８】 上記第１位置では、上記ディスクの上記第１ディスク支持部材に対する付勢状態が解除されることを特徴とする請求項７記載のディスク移送装置。
【請求項９】 上記付勢機構は、上記第１及び第２の両ディスク支持部材で支持されたディスクの外周の一部に当接し得る当接部が設けられたディスクガイド部材と、該ディスクガイド部材を上記第１ディスク支持部材に対して付勢し得る付勢部材とを備えており、上記ディスクガイド部材は、上記第２ディスク支持部材に回動可能に取り付けられ、その取付部を支点にして上記ディスクと平行な面内で回動動作することを特徴とする請求項８記載のディスク移送装置。
【請求項１０】 上記ディスク装置は、上記第１及び第２の両ディスク支持部材が上記第１位置に位置した状態で第２ディスク支持部材側を覆うクランプ基板を備える一方、上記ディスクガイド部材には、上記クランプ基板に設けられた溝部と係合する突起部が設けられており、上記第１及び第２の両ディスク支持部材が上記第１位置に位置した状態では、上記ディスクガイド部材は、上記突起部が上記クランプ基板の溝部に案内されることによって所定方向へ回動した回動位置にあり、上記ディスクの上記第１ディスク支持部材に対する付勢状態が解除されていることを特徴とする請求項９記載のディスク移送装置。
【手続補正２】
【補正対象書類名】明細書
【補正対象項目名】０００９
【補正方法】変更
【補正の内容】
【０００９】
【課題を解決するための手段】
このため、本願請求項１の発明（以下、第１の発明という）に係るディスク移送装置は、ディスク移送時に該ディスクを支持するディスク支持部材と、該ディスク支持部材をディスク装置内部のターンテーブル配設位置に対応した第１位置とディスク装置外部のディスク着脱位置に対応した第２位置との間で往復動可能に駆動するディスク支持部材駆動装置とを備えたディスク移送装置を前提としている。上記ディスク支持部材は、ディスク片面を支持する第１ディスク支持部材と、該第１ディスク支持部材と別体に設けられ、上記ディスクの他面の一部を支持する第２ディスク支持部材とを備えている。そして、上記第１ディスク支持部材のみでディスクを支持して移送する第１移送状態と、上記第１及び第２の両ディスク支持部材でディスクを支持して移送する第２移送状態とに、ディスク移送状態を切り換える移送状態切換機構を更に備えていることを特徴としたものである。
【手続補正３】
【補正対象書類名】明細書
【補正対象項目名】００１０
【補正方法】変更
【補正の内容】
【００１０】
この構成においては、ディスク支持部材がディスク片面を支持する第１ディスク支持部材とディスクの他面の一部を支持する第２ディスク支持部材とを備えているので、第１ディスク支持部材と第２ディスク支持部材とでディスクを支持した状態で当該ディスクを移送することができ、縦置き姿勢での使用にも対応できる。また、上記第２ディスク支持部材は第１ディスク支持部材とは別体に設けられており、第２ディスク支持部材を使用せずに第１ディスク支持部材のみを使用してディスクを支持することも可能である。従って、横置き姿勢での使用についても対応が容易である。更に、移送状態切換機構により、上記第１ディスク支持部材のみでディスクを支持して移送する第１移送状態と、上記第１及び第２の両ディスク支持部材でディスクを支持して移送する第２移送状態とに、ディスク移送状態が切り換えられる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、本願請求項２に係る発明（以下、第２の発明という）は、上記第１の発明において、上記移送状態切換機構は、ディスクが水平状態および水平から所定角度範囲内の傾斜状態である場合には上記第１移送状態で移送され、上記ディスクの傾斜角度が上記所定角度を越える一定値以上である場合には上記第２移送状態で移送されるように、移送状態を切り換えることを特徴としたものである。
この構成では、上記移送状態切換機構により、ディスクの傾斜角度に応じてその移送状態が切り換えられる。
【手続補正６】
【補正対象書類名】明細書
【補正対象項目名】００１３
【補正方法】変更
【補正の内容】
【００１３】
更に、本願請求項３に係る発明（以下、第３の発明という）は、上記第２の発明において、上記ディスク支持部材駆動装置が上記第１ディスク支持部材に連結され、上記移送状態切換機構は上記第２ディスク支持部材に設けられており、上記第２移送状態においては、上記移送状態切換機構を介して上記ディスク支持部材駆動装置の駆動力の一部が上記第２ディスク支持部材に伝達されることを特徴としたものである。
この構成では、第１ディスク支持部材はディスク移送時には常時駆動される一方、第２ディスク支持部材には、第２移送状態においてのみ、上記移送状態切換機構を介してディスク支持部材駆動装置の駆動力の一部が伝達される。
【手続補正７】
【補正対象書類名】明細書
【補正対象項目名】００１４
【補正方法】変更
【補正の内容】
【００１４】
また更に、本願請求項４に係る発明（以下、第４の発明という）は、上記第３の発明において、上記移送状態切換機構は、自重による垂下状態で上記第２ディスク支持部材に対し相対的に揺動自在に支持された切換レバーを備えていることを特徴としたものである。
【手続補正８】
【補正対象書類名】明細書
【補正対象項目名】００１６
【補正方法】変更
【補正の内容】
【００１６】
また更に、本願請求項５に係る発明（以下、第５の発明という）は、上記第４の発明において、上記第１ディスク支持部材のみが駆動された場合に、上記切換レバーの揺動動作を阻止する第１ロック部材が設けられ、該第１ロック部材は、上記第１ディスク支持部材が上記第１位置にある場合には、上記切換レバーの揺動動作の阻止状態を解除することを特徴としたものである。
この構成では、第１ディスク支持部材のみが駆動された場合には、第１ロック部材により上記切換レバーの揺動動作が阻止されるが、第１ディスク支持部材が第１位置にあるときには、上記切換レバーの揺動動作の阻止状態は解除される。
【手続補正９】
【補正対象書類名】明細書
【補正対象項目名】００１７
【補正方法】変更
【補正の内容】
【００１７】
また更に、本願請求項６に係る発明（以下、第６の発明という）は、上記第４又は第５の発明において、上記第１及び第２のディスク支持部材が駆動された場合に、上記切換レバーの揺動動作を阻止する第２ロック部材が設けられ、該第２ロック部材は、上記第１及び第２ディスク支持部材が上記第１位置にある場合には、上記切換レバーの揺動動作の阻止状態を解除することを特徴としたものである。
この構成においては、第１及び第２のディスク支持部材が駆動された場合には、第２ロック部材により上記切換レバーの揺動動作が阻止されるが、第１及び第２の両ディスク支持部材が第１位置にあるときには、上記切換レバーの揺動動作の阻止状態は解除される。
【手続補正１０】
【補正対象書類名】明細書
【補正対象項目名】００１８
【補正方法】変更
【補正の内容】
【００１８】
また更に、本願請求項７の発明（以下、第７の発明という）に係るディスク移送装置は、上記第１又は第２の発明において、第１及び第２の両ディスク支持部材で支持されたディスクを上記第１ディスク支持部材に対して付勢し得る付勢機構が設けられていることを特徴としたものである。
この構成においては、第１及び第２の両ディスク支持部材でディスクを支持した状態でディスクを移送する縦置き姿勢での使用では、第１及び第２の両ディスク支持部材で支持されたディスクを、上記付勢機構で第１ディスク支持部材に対して付勢することができる。
【手続補正１１】
【補正対象書類名】明細書
【補正対象項目名】００１９
【補正方法】変更
【補正の内容】
【００１９】
また更に、本願請求項８に係る発明（以下、第８の発明という）は、上記第７の発明において、上記第１位置では、ディスクの第１ディスク支持部材に対する付勢状態が解除されることを特徴としたものである。
この構成では、ディスク装置内のターンテーブル配設位置に対応した第１位置では、ディスクの第１ディスク支持部材に対する付勢状態が解除され、ディスクが第１ディスク支持部材と付勢機構とで拘束されることはない。
【手続補正１２】
【補正対象書類名】明細書
【補正対象項目名】００２０
【補正方法】変更
【補正の内容】
【００２０】
また更に、本願請求項９に係る発明（以下、第９の発明という）は、上記第８の発明において、上記付勢機構は、第１及び第２の両ディスク支持部材で支持されたディスクの外周の一部に当接し得る当接部が設けられたディスクガイド部材と、該ディスクガイド部材を上記第１ディスク支持部材に対して付勢し得る付勢部材とを備えており、上記ディスクガイド部材は、上記第２ディスク支持部材に回動可能に取り付けられ、その取付部を支点にしてディスクと平行な面内で回動動作することを特徴としたものである。
この構成では、第１及び第２の両ディスク支持部材で支持されたディスクの外周の一部に当接し得る当接部を備えたディスクガイド部材が、ディスクと平行な面内で回動動作し、このディスクガイド部材が付勢部材により第１ディスク支持部材に対して付勢される。
【手続補正１３】
【補正対象書類名】明細書
【補正対象項目名】００２１
【補正方法】変更
【補正の内容】
【００２１】
また更に、本願請求項１０に係る発明（以下、第１０の発明という）は、上記第９の発明において、上記ディスク装置は、第１及び第２の両ディスク支持部材が上記第１位置に位置した状態で第２ディスク支持部材側を覆うクランプ基板を備える一方、上記ディスクガイド部材には、上記クランプ基板に設けられた溝部と係合する突起部が設けられており、第１及び第２の両ディスク支持部材が上記第１位置に位置した状態では、ディスクガイド部材は、上記突起部がクランプ基板の溝部に案内されることによって所定方向へ回動した回動位置にあり、ディスクの第１ディスク支持部材に対する付勢状態が解除されていることを特徴としたものである。
この構成では、上記ディスクガイド部材には、クランプ基板に設けられた溝部と係合する突起部が設けられ、この突起部がクランプ基板の溝部に案内されることによってディスクガイド部材の回動位置が変化し、ディスクの第１ディスク支持部材に対する付勢状態とその付勢解除状態とを確実に切り換えられる。
【手続補正１４】
【補正対象書類名】明細書
【補正対象項目名】００４８
【補正方法】変更
【補正の内容】
【００４８】
図１４，図１５及び図１６は駆動アームと駆動ラックとを示す平面説明図であり、図１４はトレイ収納状態を、図１５はトレイ前動直前の状態を、また、図１６はトレイ引き出し状態を、それぞれ示している。尚、上記図１４〜図１６では、図面の簡略化のためにサブトレイ７１の図示は省略されている。
図１４に示されるように、駆動ラック３１が後端位置に位置しており、トレイ６１が、ディスク装置１内部のターンテーブル４５の配設位置に対応した位置（第１位置）にある状態で、上記電動モータ２１が駆動されて所定方向へ回転させられると、前述のようにその駆動力が駆動ラック３１に伝達され、該駆動ラック３１が前方へスライドさせられる。駆動ラック３１の第１ピン３１ｐが係合している駆動アーム３２のガイド溝３２ｇは、前後方向へ延びる前後直線部Ｇｓと、この前後直線部Ｇｓの前端部から斜め外側前方に延びる斜方部Ｇｎとで構成されている。上記第１ピン３１pが前後直線部Ｇｓに位置している間は、駆動ラック３１が前動しても、駆動アーム３２に動力が伝達されることはなく、従って、駆動アーム３２が回動させられることはない。
【手続補正１５】
【補正対象書類名】明細書
【補正対象項目名】０１３７
【補正方法】変更
【補正の内容】
【０１３７】
【発明の効果】
本願の第１の発明によれば、ディスク片面を支持する第１ディスク支持部材とディスクの他面の一部を支持する第２ディスク支持部材とでディスクを支持することができ、この支持状態でディスクを移送することができる。従って、縦置き姿勢で使用される場合でも、ディスク支持部材に対するディスクの着脱作業を比較的容易に行うことが可能で、また、安定した確実な移送を行うことができる。更に、上記第２ディスク支持部材は第１ディスク支持部材とは別体に設けられているので、第２ディスク支持部材を使用せずに第１ディスク支持部材のみを使用してディスクを支持することも可能であり、この場合には、横置き姿勢での使用に対してディスクを第１支持部材の上方から容易に着脱することができる。また、移送状態切換機構により、第１ディスク支持部材のみでディスクを支持して移送する第１移送状態と、上記第１及び第２の両ディスク支持部材でディスクを支持して移送する第２移送状態とに、ディスク移送状態を切り換えることができる。従って、ディスク装置の横置き姿勢と縦置き姿勢の何れにも容易に対応して使用することができ、所謂レイアウトフリーを実現することができる。
【手続補正１６】
【補正対象書類名】明細書
【補正対象項目名】０１３８
【補正方法】削除
【補正の内容】
【手続補正１７】
【補正対象書類名】明細書
【補正対象項目名】０１３９
【補正方法】変更
【補正の内容】
【０１３９】
また、本願の第２の発明によれば、基本的には上記第１の発明と同様の作用効果を奏することができる。特に、上記移送状態切換機構により、ディスクの水平からの傾斜角度に応じて移送状態を切り換えることができる。従って、ディスク装置の傾斜状態に応じて、ディスクの移送状態を、第１移送状態と第２移送状態との間で好適に切り換えることができる。
【手続補正１８】
【補正対象書類名】明細書
【補正対象項目名】０１４０
【補正方法】変更
【補正の内容】
【０１４０】
更に、本願の第３の発明によれば、基本的には上記第２の発明と同様の作用効果を奏することができる。特に、第１ディスク支持部材は、ディスク支持部材駆動装置に連結されていることによりディスク移送時には常時駆動される。一方、第２ディスク支持部材には、第２移送状態においてのみ、上記移送状態切換機構を介して上記ディスク支持部材駆動装置の駆動力の一部が伝達される。すなわち、ディスクの移送状態を切り換える際に、第２ディスク支持部材への駆動力伝達の切り換えを確実に行うことができる。
【手続補正１９】
【補正対象書類名】明細書
【補正対象項目名】０１４１
【補正方法】変更
【補正の内容】
【０１４１】
また更に、本願の第４の発明によれば、基本的には上記第３の発明と同様の作用効果を奏することができる。特に、上記移送状態切換機構に備えられた切換レバーは、第２ディスク支持部材に対し相対的に揺動自在に、自重による垂下状態で支持されている。換言すれば、ディスク装置の水平方向からの傾斜状態が変化して第２ディスク支持部材の傾斜状態が同様に変化しても、上記切換レバーの自重による垂下状態は変化することはない。従って、第２ディスク支持部材の傾斜状態が変化した場合には、自重により常に垂直姿勢を保つ上記切換レバーに対する第２ディスク支持部材の相対的な傾斜状態が変わることにより、ディスクの移送状態を第１移送状態と第２移送状態との間で切り換えることが可能になる。
【手続補正２０】
【補正対象書類名】明細書
【補正対象項目名】０１４２
【補正方法】変更
【補正の内容】
【０１４２】
また更に、本願の第５の発明によれば、基本的には上記第４の発明と同様の作用効果を奏することができる。特に、第１ディスク支持部材のみが駆動された場合には、第１ロック部材により上記切換レバーの揺動動作が阻止されるので、横置き姿勢で第１ディスク支持部材を第２位置に引き出した後、ディスク装置を縦置き姿勢に変えて第１ディスク支持部材を第１位置に戻す場合でも、切換レバーによってその戻し動作が阻害されることはない。この場合において、第１ディスク支持部材が上記第１位置にあるときには、上記切換レバーの揺動動作の阻止状態は解除されるので、切換レバーによるディスク移送状態の切換機能に支障を来すことはない。
【手続補正２１】
【補正対象書類名】明細書
【補正対象項目名】０１４３
【補正方法】変更
【補正の内容】
【０１４３】
また更に、本願の第６の発明によれば、基本的には上記第４又は第５の発明と同様の作用効果を奏することができる。特に、第１及び第２のディスク支持部材が駆動された場合には、第２ロック部材により上記切換レバーの揺動動作が阻止されるので、縦置き姿勢で第１及び第２の両ディスク支持部材を第２位置に引き出した後、ディスク装置を横置き姿勢に変えて上記両ディスク支持部材を第１位置に戻す場合でも、切換レバーによってその戻し動作が阻害されることはない。この場合において、第１及び第２の両ディスク支持部材が上記第１位置にあるときには、上記切換レバーの揺動動作の阻止状態は解除されるので、切換レバーによるディスク移送状態の切換機能に支障を来すことはない。
【手続補正２２】
【補正対象書類名】明細書
【補正対象項目名】０１４４
【補正方法】変更
【補正の内容】
【０１４４】
また更に、本願の第７の発明によれば、基本的には上記第１又は第２の発明と同様の作用効果を奏することができる。特に、付勢機構を設けたことにより、上記第１及び第２の両ディスク支持部材で支持されたディスクを上記第１ディスク支持部材に対して付勢することができるので、ディスクを略垂直に支持した状態で移送する場合でも、より一層安定した移送を行うことができ、移送中にガタツキが生じる惧れも無い。また、これにより、第１及び第２の両ディスク支持部材の間隔を比較的大きく設定することが可能になり、両ディスク支持部材間のスペース内にディスクを出し入れする際にも、ディスクが傷付く惧れがそれだけ少なくなり、ディスクの取り扱いがより容易になる。
【手続補正２３】
【補正対象書類名】明細書
【補正対象項目名】０１４５
【補正方法】変更
【補正の内容】
【０１４５】
また更に、本願の第８の発明によれば、基本的には上記第７の発明と同様の作用効果を奏することができる。特に、ディスク装置内のターンテーブル配設位置に対応した第１位置では、ディスクの第１ディスク支持部材に対する付勢状態が解除されるので、この第１位置では、ディスクが第１ディスク支持部材と付勢機構とで拘束されることはない。従って、ターンテーブルに対してディスクを装着する際に、第１ディスク支持部材および付勢機構との干渉によって支障を来すことはない。
【手続補正２４】
【補正対象書類名】明細書
【補正対象項目名】０１４６
【補正方法】変更
【補正の内容】
【０１４６】
また更に、本願の第９の発明によれば、基本的には上記第８の発明と同様の作用効果を奏することができる。特に、第１及び第２の両ディスク支持部材で支持されたディスクの外周の一部に当接し得る当接部を備えたディスクガイド部材が、ディスクと平行な面内で回動動作し、このディスクガイド部材が付勢部材により第１ディスク支持部材に対して付勢される。従って、ディスクを第１ディスク支持部材に対して付勢し拘束するに際して、ディスク面（情報信号記録用の面）に何らの悪影響も及ぼす惧れは無い。
【手続補正２５】
【補正対象書類名】明細書
【補正対象項目名】０１４７
【補正方法】変更
【補正の内容】
【０１４７】
また更に、本願の第１０の発明によれば、基本的には上記第９の発明と同様の作用効果を奏することができる。特に、第２ディスク支持部材に回動可能に取り付けられたディスクガイド部材には、クランプ基板に設けられた溝部と係合する突起部が設けられ、この突起部がクランプ板の溝部に案内されることによってディスクガイド部材の回動位置が変化し、第１及び第２の両ディスク支持部材が上記第１位置に位置するときには、ディスクの第１ディスク支持部材に対する付勢状態が解除される。すなわち、ディスクガイド部材に突起部を設ける一方、クランプ基板に溝部を設け、両者を係合させるだけの比較的簡単な構成で、ディスクの第１ディスク支持部材に対する付勢状態とその付勢解除状態とを確実に切り換えることができる。
【手続補正２６】
【補正対象書類名】明細書
【補正対象項目名】図１４
【補正方法】変更
【補正の内容】
【図１４】  トレイ収納状態における駆動アームと駆動ラックとを示す平面説明図である。
【手続補正２７】
【補正対象書類名】明細書
【補正対象項目名】図１５
【補正方法】変更
【補正の内容】
【図１５】  トレイ前動直前の状態における駆動アームと駆動ラックとを示す平面説明図である。
【手続補正２８】
【補正対象書類名】明細書
【補正対象項目名】図１６
【補正方法】変更
【補正の内容】
【図１６】  トレイ引き出し状態における駆動アームと駆動ラックとを示す平面説明図である。